(57)【特許請求の範囲】
【請求項１】
予め決められたエリアの環境を制御する複数の環境制御機器と、
前記複数の環境制御機器とは別体に設けられ前記複数の環境制御機器への電力供給を通信によって集中制御する電力供給制御装置と、
前記電力供給制御装置と通信可能な可搬型の移動端末とを備え、
前記複数の環境制御機器の各々は、当該複数の環境制御機器を物理的に区別する第１の識別情報が割り当てられるとともに、前記電力供給制御装置と前記複数の環境制御機器の各々との間の通信に用いられる論理的な第２の識別情報が割り当てられ、
前記電力供給制御装置は、
前記複数の環境制御機器の各々の動作内容が前記第２の識別情報に対応付けられた機器動作情報を無線通信によって前記移動端末から受信する受信部と、
前記機器動作情報を用いて前記複数の環境制御機器の各々の動作スケジュールを変更する動作スケジュール変更部と、
前記第２の識別情報を用いて前記機器動作情報に従って前記複数の環境制御機器の各々への電力供給を制御する供給制御部とを有し、
前記移動端末は、
前記第１の識別情報が入力される入力部と、
前記第１の識別情報と前記第２の識別情報との対応関係を示す変換テーブルを記憶する端末側記憶部と、
前記入力部に入力された前記第１の識別情報に対応する前記第２の識別情報を前記変換テーブルから抽出する変換部と、
前記変換部で抽出された前記第２の識別情報に対応付けて前記機器動作情報を設定する機器動作設定部と、
前記機器動作設定部で設定された前記機器動作情報を前記無線通信によって前記電力供給制御装置に送信する送信部とを有する
ことを特徴とする機器管理システム。
【請求項２】
前記第１の識別情報は、前記環境制御機器の位置情報であることを特徴とする請求項１記載の機器管理システム。
【請求項３】
前記入力部は、グラフィック・ユーザ・インタフェースによって前記環境制御機器の位置情報が入力されることを特徴とする請求項２記載の機器管理システム。
【請求項４】
前記エリアの環境状態を計測するセンサ装置を備え、
前記端末側記憶部は、前記センサ装置で計測された前記環境状態を前記機器動作情報に対応付けて記憶する
ことを特徴とする請求項１〜３のいずれか１項に記載の機器管理システム。
【請求項５】
前記端末側記憶部は、前記機器動作情報に関連付けて付加情報を記憶することを特徴とする請求項１〜４のいずれか１項に記載の機器管理システム。
【発明の詳細な説明】
【技術分野】
【０００１】
本発明は、複数の環境制御機器を管理する機器管理システムに関する。
【背景技術】
【０００２】
近年、温暖化に伴って省エネルギーの社会的要求が向上している。現在の省エネ法（正式名「エネルギーの使用の合理化に関する法律」）は、民生部門に対して、環境制御機器単体の性能を向上させるだけではなく、例えばＢＥＭＳ（Building Energy Management System）などを利用した管理面での省エネルギー化を図ることも要求している。管理面での省エネルギー手法としては、環境制御機器の動作スケジュールを改善することが知られている。
【０００３】
従来から、環境制御機器の動作スケジュールを設定する機器管理システムが知られている（例えば特許文献１参照）。動作スケジュールには、環境制御機器の動作内容が含まれている。
【０００４】
動作スケジュールが表示された画面において、省エネルギーを目的として動作スケジュールが変更された場合に、変更された範囲を色分けして省エネルギー効果を可視化する方法は、管理人の管理運用の直感力を高め、管理人に対して管理運用の改善を支援する効果が期待できる。
【０００５】
環境制御機器の動作内容は、省エネルギー化を図るための現場でのチューニング作業によって設定される。現場でのチューニング作業として、フィールドエンジニアは、環境制御機器が設置されているエリアで作業する作業者の作業内容などから必要な動作内容を設定し、上記動作内容を反映した動作スケジュールを設定する。上記のような動作スケジュールの設定方法は、現状の機器管理システムを活用しながら省エネルギー化を図ることができる方法として注目されている。
【０００６】
例えば食品スーパーマーケットなどでは以下のような手順でチューニング作業が行われる。食品スーパーマーケットには、照明設備機器の照明回路が複数設置されている。まず、フィールドエンジニアは、作業者（従業者）の作業内容と時間とを確認する。続いて、フィールドエンジニアは、各照明回路をそれぞれ点灯させ、１つの照明回路の照明設備機器の点灯でも作業に支障がないか作業者に確認する。その後、フィールドエンジニアは、作業者の作業スケジュールとエリアの明るさとを考慮して動作スケジュールを決定する。動作スケジュールを決定した後、照明設備機器は、上記動作スケジュールに従って制御される。上記のように現場の状況から、エリアの利用内容と、必要な照度を確保する照明パターンと、作業者の作業スケジュールとに応じて動作スケジュールを決定することが省エネルギー化を図るためのチューニング作業の中核である。こうした一連のチューニング作業を実践することによって、より現場に適した動作スケジュールを設定することができる。
【先行技術文献】
【特許文献】
【０００７】
【特許文献１】特開平８−５０５０１号公報
【発明の概要】
【発明が解決しようとする課題】
【０００８】
しかしながら、従来の機器管理システムでは、動作スケジュールを設定する管理装置が現場とは別の場所に設置されているため、フィールドエンジニアが動作スケジュールの設定に関する情報を現場で記録して別の場所に移動して動作スケジュールを設定する必要があった。動作スケジュールの設定に関する情報の記録は、メモまたはフィールドエンジニアの記憶に頼ることが多かった。このため、情報量が増えると、きめ細かな動作スケジュールの設定に至らない場合が多かった。
【０００９】
また、上記のような機器管理システムでは、電源から環境制御機器に電力供給するための電気回路の施工と、環境制御機器を制御するシステムの構築とが別々の業者によって行われる。このため、配電盤からの回路ごとに割り付けられた回路番号（物理アドレス）と、環境制御機器の制御に用いられる識別情報（論理アドレス）とに関連性なく、それぞれが個別に存在する。フィールドエンジニアは、電気回路を施工する電気施工業者からは図５（ａ）に示すような物理アドレス割当図面が提示され、システムを構築するシステム業者からは図５（ｂ）に示すような論理アドレス割当図面が提示される（例えば図５（ａ）の「ＨＢ○○」は物理アドレスを示し、図５（ｂ）の「○○−○」は論理アドレスを示す）。このため、フィールドエンジニアは、動作スケジュールを設定する際に、物理アドレス割当図面と論理アドレス割当図面とを用いて、環境制御機器の物理アドレスを読み取り、上記物理アドレスから論理アドレスに変換するという作業を行う必要があった。上記作業は、チューニング作業の効率を低下させることになり、作業時間に限りのあるフィールドエンジニアにとって、負担が大きかった。
【００１０】
本発明は上記の点に鑑みて為され、本発明の目的は、環境制御機器の動作スケジュールを設定する際にフィールドエンジニアの負担を低減することができる機器管理システムを提供することにある。
【課題を解決するための手段】
【００１１】
本発明の機器管理システムは、予め決められたエリアの環境を制御する複数の環境制御機器と、前記複数の環境制御機器とは別体に設けられ前記複数の環境制御機器への電力供給を通信によって集中制御する電力供給制御装置と、前記電力供給制御装置と通信可能な可搬型の移動端末とを備え、前記複数の環境制御機器の各々は、当該複数の環境制御機器を物理的に区別する第１の識別情報が割り当てられるとともに、前記電力供給制御装置と前記複数の環境制御機器の各々との間の通信に用いられる論理的な第２の識別情報が割り当てられ、前記電力供給制御装置は、前記複数の環境制御機器の各々の動作内容が前記第２の識別情報に対応付けられた機器動作情報を無線通信によって前記移動端末から受信する受信部と、前記機器動作情報を用いて前記複数の環境制御機器の各々の動作スケジュールを変更する動作スケジュール変更部と、前記第２の識別情報を用いて前記機器動作情報に従って前記複数の環境制御機器の各々への電力供給を制御する供給制御部とを有し、前記移動端末は、前記第１の識別情報が入力される入力部と、前記第１の識別情報と前記第２の識別情報との対応関係を示す変換テーブルを記憶する端末側記憶部と、前記入力部に入力された前記第１の識別情報に対応する前記第２の識別情報を前記変換テーブルから抽出する変換部と、前記変換部で抽出された前記第２の識別情報に対応付けて前記機器動作情報を設定する機器動作設定部と、前記機器動作設定部で設定された前記機器動作情報を前記無線通信によって前記電力供給制御装置に送信する送信部とを有することを特徴とする。
【００１２】
この機器管理システムにおいて、前記第１の識別情報は、前記環境制御機器の位置情報であることが好ましい。
【００１３】
この機器管理システムにおいて、前記入力部は、グラフィック・ユーザ・インタフェースによって前記環境制御機器の位置情報が入力されることが好ましい。
【００１４】
この機器管理システムにおいて、前記エリアの環境状態を計測するセンサ装置を備え、前記端末側記憶部は、前記センサ装置で計測された前記環境状態を前記機器動作情報に対応付けて記憶することが好ましい。
【００１５】
この機器管理システムにおいて、前記端末側記憶部は、前記機器動作情報に関連付けて付加情報を記憶することが好ましい。
【発明の効果】
【００１６】
本発明によれば、フィールドエンジニアは、環境制御機器の動作内容を含む機器動作情報を現場で設定することができる。また、フィールドエンジニアが電力供給制御装置による制御で用いられる第２の識別情報を知らなくても、電力供給経路ごとに割り当てられた第１の識別情報を現場で確認しながら、各環境制御機器の機器動作情報を移動端末で設定することができる。これにより、環境制御機器の動作スケジュールを設定する際にフィールドエンジニアの負担を低減することができる。
【図面の簡単な説明】
【００１７】
【図１】実施形態に係る機器管理システムの構成を示すブロック図である。
【図２】同上に係る移動端末に記憶されている変換テーブルを示す図である。
【図３】同上に係る移動端末の外観図である。
【図４】同上に係る移動端末において、（ａ）は付加情報を表示している状態の図、（ｂ）はエリアの環境状態を表示している状態の図である。
【図５】（ａ）は電気施工業者が作成した物理アドレス割当図面を示す図、（ｂ）はシステム業者が作成した論理アドレス割当図面を示す図である。
【発明を実施するための形態】
【００１８】
以下の実施形態では、複数の環境制御機器を管理する機器管理システムについて説明する。本実施形態では、環境制御機器の動作状態を監視することと環境制御機器を制御することとを総称して環境制御機器の「管理」と呼ぶ。したがって、環境制御機器の管理は、環境制御機器の監視と制御との少なくとも一方を意味する。
【００１９】
本実施形態に係る機器管理システムは、図１に示すように、予め決められたエリアの環境を制御する複数（図示例では２台）の環境制御機器１と、各環境制御機器１への電力供給を通信によって制御する電力供給制御装置２とを備えている。さらに、本実施形態の機器管理システムは、電力供給制御装置２と通信可能な可搬型（ポータブル型）の移動端末３を備えている。
【００２０】
各環境制御機器１は、エリアの照明環境またはエリアの空調環境などを調整する機器である。つまり、本実施形態の環境制御機器１としては、エリア内の明るさを制御する照明設備機器１１と、エリア内の気温を制御する空調設備機器１２とがある。なお、エリア内には、電源（図示せず）から環境制御機器１に電力供給するための電源回路（図示せず）が設けられている。電源と環境制御機器１との間にはリレー端末（図示せず）が接続されている。
【００２１】
各環境制御機器１は、各環境制御機器１を物理的に区別する第１の識別情報が割り当てられている。例えば、各環境制御機器１は、電源からの電力供給経路ごとに物理アドレス（例えば配電盤からの回路ごとに割り付けられた回路番号）が割り当てられている。さらに、各環境制御機器１は、電力供給制御装置２と各環境制御機器１との間の通信に用いられる論理的な第２の識別情報が割り当てられている。つまり、各環境制御機器１は、物理アドレス（第１の識別情報）とは別に、電力供給制御装置２による制御のために論理アドレス（第２の識別情報）が割り当てられている。
【００２２】
移動端末３は、例えば図３に示すようなタブレットパーソナルコンピュータなどであり、ＣＰＵ（Central Processing Unit：中央処理装置）およびメモリが搭載されている。移動端末３は、図１に示すように、入力部３１と、端末側記憶部３２と、変換部３３と、機器動作設定部３４と、端末側通信部（送信部）３５と、表示部３６とを備えている。
【００２３】
入力部３１は、フィールドエンジニアが移動端末３へ情報を入力する場合に用いられる。例えば、入力部３１には、第１の識別情報が入力される。本実施形態の入力部３１には、グラフィック・ユーザ・インタフェースによって環境制御機器１の位置情報が入力されることもあるし、物理アドレスが入力されることもある。
【００２４】
端末側記憶部３２は、第１の識別情報と第２の識別情報との対応関係を示す変換テーブルを記憶する。図２は、照明設備機器１１に対する変換テーブルを示している。変換テーブルでは、エリアの名称と第１の識別情報と第２の識別情報とが対応付けられている。変換テーブルは、例えば図５（ａ）の物理アドレス割当図面と図５（ｂ）の論理アドレス割当図面とを用いて予め作成される。なお、空調設備機器１２に対する変換テーブルも、照明設備機器１１に対する変換テーブルと同様の形式で端末側記憶部３２に記憶されている。
【００２５】
図１に示す変換部３３は、入力部３１に入力された第１の識別情報（位置情報、物理アドレス）に対応する第２の識別情報を端末側記憶部３２の変換テーブルから抽出する。つまり、変換部３３は、端末側記憶部３２に記憶されている変換テーブルを用いて第１の識別情報を第２の識別情報に変換する。
【００２６】
機器動作設定部３４は、変換部３３で抽出された第２の識別情報に対応付けて機器動作情報を設定する。機器動作情報は、環境制御機器１の動作内容と第２の識別情報と上記動作内容を実行する時刻とが対応付けられた情報である。
【００２７】
端末側通信部３５は、無線通信によって電力供給制御装置２と情報の授受を行う。具体的には、端末側通信部３５は、機器動作設定部３４で設定された機器動作情報を無線通信によって電力供給制御装置２に送信する。
【００２８】
表示部３６は、例えば液晶ディスプレイまたは有機ＥＬ（Electro-Luminescence）ディスプレイなどであり、物理アドレスの割当図面を表示したり、機器動作設定部３４で設定された機器制御情報を表示したりする。また、表示部３６は、変換部３３で変換された第２の識別情報を第１の識別情報とともに表示することもできる。さらに、表示部３６は、端末側通信部３５を介して電力供給制御装置２から取得した情報を表示することもできる。
【００２９】
電力供給制御装置２は、コントローラ４と、設備制御管理部５と、複数（図示例では２台）の設備制御端末６とを備えている。
【００３０】
コントローラ４は、ＣＰＵおよびメモリが搭載されたコンピュータを主構成要素とし、環境制御機器１の動作を指示したり、環境制御機器１の動作状態に関する情報を収集したりする。コントローラ４は、コントローラ側記憶部４１と、コントローラ側通信部（受信部）４２と、動作スケジュール変更部４３と、設備制御部４４とを備えている。
【００３１】
コントローラ側記憶部４１は、各環境制御機器１の動作内容と第２の識別情報と時刻情報とが対応付けられた動作スケジュールを記憶する。動作スケジュールは、電源から環境制御機器１に電力供給するための電源回路に挿入されたリレー端末（図示せず）および設備制御端末６に対してオンオフの命令を出すように設定されている。
【００３２】
コントローラ側通信部４２は、無線通信によって移動端末３と情報の授受を行う。具体的には、コントローラ側通信部４２は、無線通信によって移動端末３から機器動作情報を受信する。
【００３３】
動作スケジュール変更部４３は、コントローラ側通信部４２で受信された機器動作情報に動作スケジュールを変更する。変更された動作スケジュールは、コントローラ側記憶部４１に記憶される。
【００３４】
設備制御部４４は、コントローラ側記憶部４１に記憶されている動作スケジュールに従って、環境制御機器１の電力供給を制御するための制御信号を設備制御管理部５に出力する。制御信号には、環境制御機器１の動作内容に関する情報が含まれている。
【００３５】
設備制御管理部５および各設備制御端末６が接続されているネットワークは、２線式の信号線５１を伝送される固定長の伝送信号を用いた時分割多重伝送方式の通信ネットワークである。設備制御管理部５は、固定長の伝送信号を信号線５１に定期的に送出する。各設備制御端末６には環境制御機器１が接続されている。
【００３６】
設備制御管理部５は、ＣＰＵおよびメモリが搭載されたコンピュータを主構成要素とし、設備制御部４４から受け取った制御信号を所定の設備制御端末６に送信する。
【００３７】
各設備制御端末６は、設備制御管理部５から制御信号を受け取ると、制御信号に含まれている動作内容に従って、電源から環境制御機器１に電力供給するための電源回路に挿入されたリレー端末（図示せず）のオンオフを切り替える。これにより、環境制御機器１の動作が変更される。また、設備制御端末６は、環境制御機器１の設定を調整することができる。例えば環境制御機器１が照明設備機器１１である場合、設備制御端末６は、照明設備機器１１を調光制御することができる。環境制御機器１が空調設備機器１２である場合、設備制御端末６は、空調設備機器１２の設定温度を変化させることができる。
【００３８】
上記より、コントローラ４の設備制御部４４、設備制御管理部５および各設備制御端末６は、第２の識別情報を用いて機器動作情報に従って各環境制御機器１への電力供給を制御する。設備制御部４４、設備制御管理部５および各設備制御端末６は供給制御部に相当する。
【００３９】
また、本実施形態の電力供給制御装置２（コントローラ４、設備制御管理部５および各設備制御端末６）は、コントローラ４のコントローラ側通信部４２で移動端末３から機器動作情報が受信されたときに、上記機器動作情報に含まれている動作内容に応じて、上記動作内容に対応する環境制御機器１への電力供給を制御する。つまり、電力供給制御装置２は、移動端末３で設定された動作内容に応じて、現時点での環境制御機器１の動作を変更させることができる。これにより、フィールドエンジニアは、チューニング作業中に動作内容を移動端末３からコントローラ４に送信することによって、環境制御機器１の現時点の動作を実際に切り替えながら環境制御機器１の動作スケジュールを設定することができる。
【００４０】
ところで、本実施形態の機器管理システムは、エリアの環境状態を計測するセンサ装置７を備えている。本実施形態におけるエリアの環境状態としては、例えばエリアの明るさまたはエリアの温度などがある。エリアの明るさとは、エリアの照度または輝度などである。
【００４１】
センサ装置７は、例えばエリアの明るさを計測する明るさセンサまたはエリアの温度を計測する温度センサなどである。明るさセンサとしては、例えば照度センサまたは輝度センサなどがある。
【００４２】
移動端末３の端末側通信部３５は、無線通信によってセンサ装置７と情報を授受する。具体的には、端末側通信部３５は、センサ装置７の計測結果を無線通信によってセンサ装置７から受信する。
【００４３】
移動端末３の端末側記憶部３２は、端末側通信部３５で受信された計測結果つまりセンサ装置７で計測された環境状態に関する情報を機器動作情報に対応付けて記憶する。さらに、端末側記憶部３２は、機器動作情報に関連付けて付加情報を記憶することができる。付加情報としては、例えば、環境制御機器１の配置情報、センサ装置７の計測位置情報、センサ装置７で計測された環境状態、エリアが撮像された画像データ、エリアにいる利用者の反応・コメント情報などがある。
【００４４】
移動端末３の表示部３６は、図４（ａ）に示すように付加情報を表示したり、図４（ｂ）に示すようにセンサ装置７で計測された環境状態を表示したりすることができる。
【００４５】
上記より、例えば環境制御機器１の動作内容を変化させた場合に、移動端末３は、エリアにいる利用者の反応などの付加情報を機器動作情報に関連付けて記憶することができる。これにより、エリアの利用目的と機器動作情報とを関連付けることができ、利用目的に応じた動作内容に環境制御機器１を制御することができる。また、環境制御機器１が照明設備機器１１である場合、移動端末３は、窓などから差し込む外光の状態（外光量）を機器動作情報に関連付けて記憶することができる。これにより、外光量に応じて照明設備機器１１の動作内容を変更することができるので、例えば外光量が多いときに照明設備機器１１を間引き点灯させることによって省エネルギー化を図ることができる。
【００４６】
また、これらの情報を表示することによって、作業者の反応（例えば暗すぎる、裁断機を利用する作業時間帯の減光をやめてほしいなど、現場でしか得られない情報）および動作スケジュールの設定根拠を第三者が一目瞭然で理解することができる。これにより、フィールドエンジニアだけではなく、現場を詳しく知らない者に対しても情報を共有することができる。
【００４７】
また、照明設備機器１１をさまざまな条件で制御した場合の照度を記憶することによって、照明チューニングを適切に行うことができるほか、客観的な定量化情報として用いることができ、同じようなエリアで動作スケジュールを設定する際に参考値として扱うことができる。
【００４８】
ところで、図１に示すコントローラ４は、各環境制御機器１の運用状況（動作状態）に関する設備運用データを管理するために、設備運用データ収集部４５と、設備運用データ記憶部４６と、設備運用表示部４７とを備えている。
【００４９】
設備運用データ収集部４５は、設備制御管理部５に対して環境制御機器１の設備運用データの取得要求を行い、設備制御管理部５から設備運用データを取得する。設備運用データには、環境制御機器１の動作状態に関する情報が含まれている。環境制御機器１の動作状態は、設備制御管理部５が伝送信号を監視することによって設備制御端末６から取得する。設備運用データ記憶部４６は、設備運用データ収集部４５で取得された設備運用データを記憶する。設備運用表示部４７は、設備運用データ記憶部４６に記憶されている設備運用データを用いて環境制御機器１の動作状態を表示する。なお、コントローラ４は、設備運用データを後述の管理装置８に送信する機能を有している。
【００５０】
本実施形態の機器管理システムは、各環境制御機器１を管理する管理装置８を備えている。管理装置８は、例えばインターネットなどのネットワーク８１を介してコントローラ４に接続されている。管理装置８は、環境制御機器１の制御をコントローラ４に要求したり、コントローラ４から設備運用データを取得したりする。
【００５１】
次に、本実施形態に係る機器管理システムの使用例について説明する。図５（ａ）に示すような食品スーパーマーケット９において、照明設備機器１１の照明回路は、野菜売場９１では４系統（図５（ａ）のＨＢ８，ＨＢ９，ＨＢ１０，ＨＢ１１）であり、ベーカリー売場９２では２系統（ＨＢ３０，ＨＢ３１）であり、ベーカリー調理場９３では１系統（ＨＢ４１）である。ベーカリー売場９２では、同じ系統の照明設備機器１１が千鳥状に配置されている。これにより、作業者の作業内容によっては照明設備機器１１を間引き点灯することによって、減光することができる。
【００５２】
フィールドエンジニアは、ベーカリー売場９２で働く作業者（従業員）の作業内容、作業時間および作業順番を確認し、照明設備機器１１による現在の明るさが十分であるか否かを例えば目視、センサ装置７の計測結果または写真などから判断する。その後、フィールドエンジニアは、移動端末３を用いて、各照明設備機器１１の動作内容（点灯パターン）を変化させて、作業内容に対して十分な明るさであるか否かを判断する。フィールドエンジニアは、エリアが明るすぎると判断した場合、照明を減光させながら（照明設備機器１１を間引き点灯させながら）、適切な動作内容を設定する。
【００５３】
例えば夜間の清掃作業中に、ベーカリー売場９２で２系統の照明設備機器１１を点灯させていた場合、一方の系統の照明設備機器１１だけを点灯させてベーカリー売場９２を暗くして適切な明るさ感を見極める。その際、移動端末３がグラフィック・ユーザ・インタフェースの入力部３１と変換テーブルとを備えているため、フィールドエンジニアは、一方の系統の照明設備機器１１に割り当てられた第２の識別情報をすぐに呼び出すことができる。さらに、エリアの写真、エリアの照度または作業者の反応・コメントなどの情報を機器制御情報に関連付けて記憶することができるので、第三者が機器制御情報の設定内容を見たときに、機器制御情報の設定根拠を理解することができる。
【００５４】
以上、本実施形態の機器管理システムによれば、フィールドエンジニアは、環境制御機器１の動作内容を含む機器動作情報を現場で設定することができる。また、フィールドエンジニアが電力供給制御装置２による制御で用いられる第２の識別情報を知らなくても、電力供給経路ごとに割り当てられた第１の識別情報を現場で確認しながら、各環境制御機器１の機器動作情報を移動端末３で設定することができる。これにより、環境制御機器１の動作スケジュールを設定する際にフィールドエンジニアの負担を低減することができる。
【００５５】
また、本実施形態の機器管理システムによれば、第１の識別情報として環境制御機器１の位置情報を採用することによって、フィールドエンジニアは、環境制御機器１の位置を指定するだけで環境制御機器１の機器動作情報の設定および環境制御機器１の制御を行うことができる。これにより、フィールドエンジニアは、現場での操作と環境制御機器１の動作状態とが直感的に結びつきやすくなり、現場での作業をより容易かつ迅速に行うことができる。
【００５６】
さらに、本実施形態の機器管理システムでは、グラフィック・ユーザ・インタフェースで環境制御機器１の位置情報が入力部３１に入力することを可能にする。これにより、フィールドエンジニアは、移動端末３で設定した動作内容を目視と選択だけで第２の識別情報に対応付けることができるので、各環境制御機器１の機器動作情報を容易に設定することができる。
【００５７】
また、本実施形態の機器管理システムによれば、エリアの環境状態を現場で計測して機器動作情報に対応付けて記憶することによって、必要に応じて機器動作情報を調整することができる。
【００５８】
さらに、本実施形態の機器管理システムによれば、例えば環境制御機器１の機器動作情報を設定した後の反応・コメントなどを残すことによって、動作スケジュールの設定を支援することができる。
【００５９】
なお、本実施形態の変形例として、第１の識別情報は、環境制御機器１の位置情報のみであってもよい。
【００６０】
さらに、移動端末３は、環境制御パターン（例えば照明パターンまたは空調パターンなど）と、利用者の意見などの外部情報から入手した利用パターンとを照合させて、動作スケジュールを自動で生成する機能を有してもよい。
【符号の説明】
【００６１】
１  環境制御機器
２  電力供給制御装置
３  移動端末
３１  入力部
３２  端末側記憶部
３３  変換部
３４  機器動作設定部
３５  端末側通信部（送信部）
４  コントローラ
４１  コントローラ側記憶部（装置側記憶部）
４２  コントローラ側通信部（受信部）
４３  動作スケジュール変更部
４４  設備制御部（供給制御部）
５  設備制御管理部（供給制御部）
６  設備制御端末（供給制御部）
７  センサ装置
【図１】
0005563974.tif 000002
【図２】
0005563974.tif 000003
【図３】
0005563974.tif 000004
【図４】
0005563974.tif 000005
【図５】
0005563974.tif 000006